(57)【要約】【課題】総累積被曝線量を基準値以下に抑えることが可能な撮影パラメータを効率よく設定する。【解決手段】被検体３０に対してＸ線ＣＴ撮影を行なう際、累積被曝線量算出部５は、被検体３０に対して行なわれた過去ＣＴ撮影における累積被曝線量データ（過去累積被曝線量データ）及びこれから行なわれる現行ＣＴ撮影に対して暫定的に設定された撮影パラメータに基づく累積被曝線量データ（推定累積被曝線量データ）、更には、これらの累積被曝線量データを加算処理して総累積被曝線量データを生成する。一方、撮影計画用表示データ生成部８１は、これらの累積被曝線量データを撮影計画用画像データ（スキャノグラム）上に重畳し、更に、予め設定された基準累積被曝線量より大きな総累積被曝線量を有する領域の推定累積被曝線量データあるいは総累積被曝線量データを強調させて表示部９に表示する。【選択図】図１
2009172138.tif 000002
【特許請求の範囲】
【請求項１】
被検体に対するＸ線ＣＴ撮影によって収集された投影データを再構成処理して画像データを生成するＸ線ＣＴ装置において、
前記Ｘ線ＣＴ撮影に対する撮影パラメータの設定あるいは更新を行なう撮影パラメータ設定／更新手段と、
前記撮影パラメータに基づいて複数の撮影領域における被曝線量を算出する被曝線量算出手段と、
この被曝線量算出手段によって得られた過去Ｘ線ＣＴ撮影における被曝線量データを保存する被曝線量データ記憶手段と、
この被曝線量データ記憶手段にて保存された、前記過去Ｘ線ＣＴ撮影における被曝線量データと前記被曝線量算出手段によって得られた現行Ｘ線ＣＴ撮影における被曝線量データを前記撮影領域の位置情報に基づいて加算処理し過去累積被曝線量データ及び推定累積被曝線量データを生成する累積被曝線量算出手段と、
前記過去累積被曝線量データ及び前記推定累積被曝線量データに基づいて撮影計画用表示データを生成する表示データ生成手段と、
前記撮影計画用表示データを表示する表示手段とを
備えたことを特徴とするＸ線ＣＴ装置。
【請求項２】
被検体に対するＸ線ＣＴ撮影によって収集された投影データを再構成処理して画像データを生成するＸ線ＣＴ装置において、
前記Ｘ線ＣＴ撮影に対する撮影パラメータの設定あるいは更新を行なう撮影パラメータ設定／更新手段と、
前記撮影パラメータに基づいて複数の撮影領域における被曝線量を算出する被曝線量算出手段と、
この被曝線量算出手段によって得られた被曝線量データを前記撮影領域の位置情報に基づいて加算処理し累積被曝線量データを生成する累積被曝線量算出手段と、
この累積被曝線量算出手段によって得られた過去Ｘ線ＣＴ撮影における過去累積被曝線量データ及び現行Ｘ線ＣＴ撮影における推定累積被曝線量データに基づいて撮影計画用表示データを生成する表示データ生成手段と、
前記撮影計画用表示データを表示する表示手段とを
備えたことを特徴とするＸ線ＣＴ装置。
【請求項３】
被検体に対するＸ線ＣＴ撮影によって収集された投影データを再構成処理して画像データを生成するＸ線ＣＴ装置において、
前記Ｘ線ＣＴ撮影に対する撮影パラメータの設定あるいは更新を行なう撮影パラメータ設定／更新手段と、
前記撮影パラメータに基づいて複数の撮影領域における被曝線量を算出する被曝線量算出手段と、
この被曝線量算出手段によって得られた被曝線量データを前記撮影領域の位置情報に基づいて加算処理し累積被曝線量データを生成する累積被曝線量算出手段と、
この累積被曝線量算出手段によって得られた過去Ｘ線ＣＴ撮影における過去累積被曝線量データに基づいて撮影計画用表示データを生成する表示データ生成手段と、
前記撮影計画用表示データを表示する表示手段とを
備えたことを特徴とするＸ線ＣＴ装置。
【請求項４】
前記被検体に対する撮影パラメータの設定を目的としたスキャノグラムを生成するスキャノグラム生成手段を備え、前記表示データ生成手段は、前記過去累積被曝線量データ及び前記推定累積被曝線量データを前記スキャノグラムに重畳して前記撮影計画用表示データを生成することを特徴とする請求項１乃至請求項３の何れか１項に記載したＸ線ＣＴ装置。
【請求項５】
前記表示データ生成手段は、前記過去累積被曝線量データを重畳した過去Ｘ線ＣＴ撮影におけるスキャノグラムと前記推定累積被曝線量データを重畳した現行Ｘ線ＣＴ撮影におけるスキャノグラムを並列配置して前記撮影計画用表示データを生成することを特徴とする請求項４記載のＸ線ＣＴ装置。
【請求項６】
前記過去累積被曝線量データと前記推定累積被曝線量データとの加算処理によって得られる総累積被曝線量データと予め設定された基準累積被曝線量データとを比較する被曝線量比較手段を備え、前記表示データ生成手段は、前記被曝線量比較手段による比較結果に基づいて前記推定累積被曝線量データにおける一部あるいは全ての領域を強調表示あるいは識別表示するための情報を付加し前記撮影計画用表示データを生成することを特徴とする請求項１又は請求項２に記載したＸ線ＣＴ装置。
【請求項７】
前記累積被曝線量算出手段は、前記過去累積被曝線量データと前記推定累積被曝線量データを加算処理して総累積被曝線量データを生成し、前記表示データ生成手段は、前記総累積被曝線量データを用いて前記撮影計画用表示データを生成することを特徴とする請求項１又は請求項２に記載したＸ線ＣＴ装置。
【請求項８】
前記被検体に対する撮影パラメータの設定を目的としたスキャノグラムを生成するスキャノグラム生成手段を備え、前記表示データ生成手段は、前記総累積被曝線量データを前記スキャノグラムに重畳して前記撮影計画用表示データを生成することを特徴とする請求項７記載のＸ線ＣＴ装置。
【請求項９】
前記総累積被曝線量データと予め設定された基準累積被曝線量データとを比較する被曝線量比較手段を備え、前記表示データ生成手段は、前記被曝線量比較手段による比較結果に基づいて前記総累積被曝線量データにおける一部あるいは全ての領域を強調表示あるいは識別表示するための情報を付加し前記撮影計画用表示データを生成することを特徴とする請求項７記載のＸ線ＣＴ装置。
【請求項１０】
前記表示データ生成手段は、前記総累積被曝線量データが前記基準累積被曝線量データより大きな値を有する前記領域に対し前記情報を付加することを特徴とする請求項６又は請求項９に記載したＸ線ＣＴ装置。
【請求項１１】
前記撮影パラメータ設定／更新手段は、前記表示手段において表示された前記撮影計画用表示データに基づいて予め設定した撮影パラメータを更新することを特徴とする請求項１乃至請求項３の何れか１項に記載したＸ線ＣＴ装置。
【請求項１２】
Ｘ線撮影を行なう医用画像診断装置の撮影パラメータを設定する撮影計画管理装置であって、
前記Ｘ線撮影に対する撮影パラメータの設定あるいは更新を行なう撮影パラメータ設定／更新手段と、
前記撮影パラメータに基づいて複数の撮影領域における被曝線量を算出する被曝線量算出手段と、
この被曝線量算出手段によって得られた被曝線量データを撮影領域の位置情報に基づいて加算処理し累積被曝線量データを生成する累積被曝線量算出手段と、
この累積被曝線量算出手段によって得られた過去Ｘ線撮影における過去累積被曝線量データ及び現行Ｘ線撮影における推定累積被曝線量データに基づいて撮影計画用表示データを生成する表示データ生成手段と、
前記撮影計画用表示データを表示する表示手段とを備え、
前記撮影パラメータ設定／更新手段は、前記表示手段において表示された前記撮影計画用表示データに基づいて予め設定した撮影パラメータを更新することを特徴とする撮影計画管理装置。
【請求項１３】
前記被検体に対する撮影パラメータの設定を目的として生成されたスキャノグラムを保存するスキャノグラム記憶手段を備え、前記表示データ生成手段は、前記過去累積被曝線量データ及び前記推定累積被曝線量データを前記スキャノグラム記憶手段から読み出した前記スキャノグラムに重畳して前記撮影計画用表示データを生成することを特徴とする請求項１１記載の撮影計画管理装置。
【発明の詳細な説明】
【技術分野】
【０００１】
本発明は、Ｘ線ＣＴ装置及び医用画像表示装置に係り、特に、被検体に対する被曝線量を適正化することにより安全なＸ線撮影を可能とするＸ線ＣＴ装置及び撮影計画管理装置に関する。
【背景技術】
【０００２】
Ｘ線ＣＴ装置では、Ｘ線検出器や演算処理部の高速化及び高性能化により画像データのリアルタイム表示が可能となり、又、へリカルスキャン方式やマルチスライス方式、更には、これらの方式を組み合わせたマルチヘリカルスキャン方式の開発により広範囲の画像データを短時間で収集することが可能となった。
【０００３】
特に、スライス方向（被検体の体軸方向）に対しても複数のＸ線検出素子が配列されたＸ線検出器を用いるマルチスライス方式によりボリュームレンダリング画像データ等の３次元画像データの収集に要する時間が飛躍的に短縮され、診断効率が大幅に向上すると共に装置の操作者や被検体の負荷が軽減されるようになった。
【０００４】
Ｘ線ＣＴ装置では、Ｘ線発生部から放射され被検体を透過したＸ線はこの被検体の後方に配置されたＸ線検出部によって検出され、この検出信号は、データ収集ユニット（ＤＡＳユニット）で信号処理されて投影データが生成される。そして、上述のＸ線発生部、Ｘ線検出部及びＤＡＳユニットを被検体の周囲で高速回転させながら収集した複数の投影データを再構成処理することにより画像データが生成される。
【０００５】
上記画像データの収集を目的としたＸ線ＣＴ撮影では、被検体に対するＸ線照射量（以下では、被曝線量と呼ぶ。）を可能な限り少なくした状態で多くの良好な画像情報を得るための技術開発と並行して当該Ｘ線ＣＴ撮影における被曝線量の計測方法や推定方法の検討が行なわれ（例えば、特許文献１参照。）、このとき得られた被曝線量データは画像データの付帯情報として表示あるいは保存されてきた。しかしながら、上述の方法によれば、被曝線量は数値として撮影領域単位で管理されてきたため、操作者は、その分布状態を視覚的に捉えることが困難であった。
【０００６】
このような問題点に対し、近年では、現行のＸ線ＣＴ撮影に対する暫定的な各種撮影パラメータに基づいて算出した被曝線量あるいは累積被曝線量の分布データを撮影計画用画像データ（スキャノグラム）に重畳すると共に、この被曝線量が予め設定された基準値に接近した場合あるいは前記基準値を超えた場合にはその旨を装置の操作者に報知する方法が提案されている（例えば、特許文献２参照。）。
【特許文献１】特開２００３−７９６１１号公報
【特許文献２】特開２００６−３４０９１０号公報
【発明の開示】
【発明が解決しようとする課題】
【０００７】
ところで、被検体に対して安全なＸ線ＣＴ撮影を行なうためには、当該被検体に対して行なわれた過去のＸ線ＣＴ撮影における被曝線量データあるいは累積被曝線量データを考慮して現行のＸ線ＣＴ撮影に対する撮影パラメータを設定することが望ましいが、上述の特許文献１あるいは特許文献２に記載された方法によれば、過去のＸ線ＣＴ撮影における被曝線量データや累積被曝線量データを考慮することが困難なため被検体に対する安全性を十分に確保することができないという問題点を有していた。
【０００８】
本発明は、上述の問題点に鑑みてなされたものであり、その目的は、被検体に対してＸ線撮影を行なう際、当該被検体に対する過去の被曝線量データに基づいて撮影パラメータを設定することが可能なＸ線ＣＴ装置及び撮影計画管理装置を提供することにある。
【課題を解決するための手段】
【０００９】
上記課題を解決するために、請求項１に係る本発明のＸ線ＣＴ装置は、被検体に対するＸ線ＣＴ撮影によって収集された投影データを再構成処理して画像データを生成するＸ線ＣＴ装置において、前記Ｘ線ＣＴ撮影に対する撮影パラメータの設定あるいは更新を行なう撮影パラメータ設定／更新手段と、前記撮影パラメータに基づいて複数の撮影領域における被曝線量を算出する被曝線量算出手段と、この被曝線量算出手段によって得られた過去Ｘ線ＣＴ撮影における被曝線量データを保存する被曝線量データ記憶手段と、この被曝線量データ記憶手段にて保存された、前記過去Ｘ線ＣＴ撮影における被曝線量データと前記被曝線量算出手段によって得られた現行Ｘ線ＣＴ撮影における被曝線量データを前記撮影領域の位置情報に基づいて加算処理し過去累積被曝線量データ及び推定累積被曝線量データを生成する累積被曝線量算出手段と、前記過去累積被曝線量データ及び前記推定累積被曝線量データに基づいて撮影計画用表示データを生成する表示データ生成手段と、前記撮影計画用表示データを表示する表示手段とを備えたことを特徴としている。
【００１０】
又、請求項２に係る本発明のＸ線ＣＴ装置は、被検体に対するＸ線ＣＴ撮影によって収集された投影データを再構成処理して画像データを生成するＸ線ＣＴ装置において、前記Ｘ線ＣＴ撮影に対する撮影パラメータの設定あるいは更新を行なう撮影パラメータ設定／更新手段と、前記撮影パラメータに基づいて複数の撮影領域における被曝線量を算出する被曝線量算出手段と、この被曝線量算出手段によって得られた被曝線量データを前記撮影領域の位置情報に基づいて加算処理し累積被曝線量データを生成する累積被曝線量算出手段と、この累積被曝線量算出手段によって得られた過去Ｘ線ＣＴ撮影における過去累積被曝線量データ及び現行Ｘ線ＣＴ撮影における推定累積被曝線量データに基づいて撮影計画用表示データを生成する表示データ生成手段と、前記撮影計画用表示データを表示する表示手段とを備えたことを特徴としている。
【００１１】
更に、請求項３に係る本発明のＸ線ＣＴ装置は、被検体に対するＸ線ＣＴ撮影によって収集された投影データを再構成処理して画像データを生成するＸ線ＣＴ装置において、前記Ｘ線ＣＴ撮影に対する撮影パラメータの設定あるいは更新を行なう撮影パラメータ設定／更新手段と、前記撮影パラメータに基づいて複数の撮影領域における被曝線量を算出する被曝線量算出手段と、この被曝線量算出手段によって得られた被曝線量データを前記撮影領域の位置情報に基づいて加算処理し累積被曝線量データを生成する累積被曝線量算出手段と、この累積被曝線量算出手段によって得られた過去Ｘ線ＣＴ撮影における過去累積被曝線量データに基づいて撮影計画用表示データを生成する表示データ生成手段と、前記撮影計画用表示データを表示する表示手段とを備えたことを特徴としている。
【００１２】
一方、請求項１２に係る本発明の撮影計画管理装置は、Ｘ線撮影を行なう医用画像診断装置の撮影パラメータを設定する撮影計画管理装置であって、前記Ｘ線撮影に対する撮影パラメータの設定あるいは更新を行なう撮影パラメータ設定／更新手段と、前記撮影パラメータに基づいて複数の撮影領域における被曝線量を算出する被曝線量算出手段と、この被曝線量算出手段によって得られた被曝線量データを撮影領域の位置情報に基づいて加算処理し累積被曝線量データを生成する累積被曝線量算出手段と、この累積被曝線量算出手段によって得られた過去Ｘ線撮影における過去累積被曝線量データ及び現行Ｘ線撮影における推定累積被曝線量データに基づいて撮影計画用表示データを生成する表示データ生成手段と、前記撮影計画用表示データを表示する表示手段とを備え、前記撮影パラメータ設定／更新手段は、前記表示手段において表示された前記撮影計画用表示データに基づいて予め設定した撮影パラメータを更新することを特徴としている。
【発明の効果】
【００１３】
本発明によれば、被検体に対してＸ線撮影を行なう際、当該被検体に対する過去の被曝線量データに基づいて撮影パラメータを設定することができるため総累積被曝線量を基準値以下に抑えた撮影パラメータの設定が容易となり、生体に対して常に安全なＸ線撮影を実施することができる。
【発明を実施するための最良の形態】
【００１４】
以下、図面を参照して本発明の実施例を説明する。
【実施例１】
【００１５】
本発明の第１の実施例におけるＸ線ＣＴ装置では、被検体に対してＸ線ＣＴ撮影を行なう際、当該被検体に対して行なわれた過去のＸ線ＣＴ撮影（過去ＣＴ撮影）における累積被曝線量（過去累積被曝線量）及びこれから行なわれるＸ線ＣＴ撮影（現行ＣＴ撮影）に対して暫定的に設定された撮影パラメータに基づく累積被曝線量（推定累積被曝線量）あるいはこれらの累積被曝線量を加算処理して得られる総累積被曝線量の各データを撮影計画用画像データ（スキャノグラム）上に重畳表示し、更に、予め設定された基準累積被曝線量より大きな総累積被曝線量を有する領域の推定累積被曝線量データあるいは総累積被曝線量データを強調表示する。
【００１６】
尚、以下の実施例では、Ｘ線検出器がスライス方向に複数列配列されたマルチスライス方式のＸ線ＣＴ装置について述べるが、これに限定されるものではなく、例えば、スライス方向に１列のＸ線検出器が配列されたヘリカルスキャン方式のＸ線ＣＴ装置等であってもよい。
【００１７】
（装置の構成）
以下、本発明の第１の実施例におけるＸ線ＣＴ装置の構成につき図１乃至図９を用いて説明する。
【００１８】
図１は、本実施例におけるＸ線ＣＴ装置１００の全体構成を示すブロック図であり、このＸ線ＣＴ装置１００は、後述の入力部１０から供給される被検体情報及び撮影パラメータに基づいて被検体３０に対するＸ線ＣＴ撮影の撮影計画を策定する撮影計画策定部１と、被検体３０に対する撮影計画モードのＸ線撮影によりスキャノグラムを生成し、更に、前記撮影計画に基づいた撮影モードのＸ線ＣＴ撮影により診断用画像データを生成するＣＴ撮影部２と、撮影計画策定部１から供給される撮影計画の各種撮影パラメータに基づいて被曝線量を算出する被曝線量算出部３と、過去ＣＴ撮影及び現行ＣＴ撮影によって得られた上述のスキャノグラムや診断用画像データ、更には、被膜線量の算出結果（被曝線量データ）を保存するデータ記憶部４を備えている。
【００１９】
又、Ｘ線ＣＴ装置１００は、データ記憶部４に保存された過去ＣＴ撮影及び現行ＣＴ撮影における被曝線量データを加算処理して過去累積被曝線量データ、推定累積被曝線量データ及び総累積被曝線量データを生成する累積被曝線量算出部５と、生体に対する安全なＸ線照射を確保するために撮影部位単位あるいは被検体単位で設定された基準累積被曝線量のデータが予め保管されている基準累積被曝線量データ保管部６と、累積被曝線量算出部５から供給される総累積被曝線量データと基準累積被曝線量データ保管部６から読み出した基準累積被曝線量データとを比較する被曝線量比較部７と、上述の累積被曝線量データ及びスキャノグラムに基づく撮影計画用表示データや診断用画像データに基づく診断用表示データを生成する表示データ生成部８を備え、更に、得られた撮影計画用表示データや診断用表示データを表示する表示部９と、被検体情報の入力や撮影パラメータの設定／更新等を行なう入力部１０と、Ｘ線ＣＴ装置１００が備えた上述の各ユニットを統括的に制御するシステム制御部１１を備えている。
【００２０】
撮影計画策定部１は、撮影計画モードにてＣＴ撮影部２が生成する被検体３０のスキャノグラム等を用いて入力部１０が設定あるいは更新する撮影パラメータと入力部１０から入力される被検体情報とに基づいて被検体３０に対する撮影計画を策定する。
【００２１】
具体的には、各種の撮影パラメータによって構成される１つあるいは複数の撮影プロトコル（撮影方法）を頭部、胸部、腹部、脚部等の撮影領域（撮影部位）に対して設定し、これらの撮影プロトコルや入力部１０から供給される被検体情報（例えば、被検体名、被検体ＩＤ，年齢、体重、性別、疾患名、検査管理番号）等に基づいて被検体３０の撮影計画を策定する。
【００２２】
尚、上述の撮影パラメータとして、撮影範囲、スライス厚、スライス枚数、スライスピッチ、スキャン回数、スキャン時間（後述する架台回転部２７の１回転に要する時間）、総スキャン時間（撮影範囲の全スキャンに要する時間）、後述のＸ線発生部２２における管電流、管電圧及びＸ線照射時間（１回のＸ線照射に要する時間）、再構成方法、画像処理方法等がある。
【００２３】
次に、スキャノグラムや診断用画像データの生成を行なうＣＴ撮影部２の具体的な構成につき図２を用いて説明する。
【００２４】
ＣＴ撮影部２は、図２に示すように、被検体３０に対してＸ線を照射するＸ線発生部２２と、前記Ｘ線の照射強度を制御する照射強度制御部２１と、被検体３０を透過したＸ線を検出して投影データを収集する投影データ収集部２３と、投影データ収集部２３が収集した投影データを処理してスキャノグラム及び診断用画像データを生成する画像データ生成部２４と、Ｘ線発生部２２及び投影データ収集部２３を搭載して被検体３０の周囲で高速回転させる架台回転部２７と、図示しない寝台の上面にスライド可能に設けられ被検体３０を載置してその診断対象部位を架台回転部２７の撮影領域に移動する天板２９と、天板２９の移動や架台回転部２７の高速回転を行なう移動機構部２５を備えている。
【００２５】
Ｘ線発生部２２は、被検体３０に対しＸ線を照射するＸ線管２２１と、Ｘ線管２２１の陽極と陰極の間に印加する高電圧を発生するための高電圧発生器２２２と、Ｘ線管２２１から放射されたＸ線の被検体３０に対する照射範囲を制御するＸ線絞り器２２３と、高電圧発生器２２２が発生した高電圧を架台回転部２７に設けられたＸ線管２２１に供給するスリップリング２２４を備えている。
【００２６】
Ｘ線管２２１は、Ｘ線を発生する真空管であり、高電圧発生器２２２から供給された高電圧によって加速した電子をタングステンターゲットに衝突させてＸ線を放射する。Ｘ線絞り器２２３は、Ｘ線管２２１と被検体３０の間に設けられ、Ｘ線管２２１から放射されたＸ線を所定の照射範囲に絞り込む機能と被検体３０に対するＸ線の照射強度分布を設定する機能を有している。例えば、Ｘ線管２２１から放射されたＸ線ビームを予め設定された撮影領域に対応するコーンビーム（四角錐）状あるいはファンビーム状のＸ線ビームに成形する。
【００２７】
次に、照射強度制御部２１は、撮影計画策定部１によって策定された撮影計画の撮影パラメータ（即ち、Ｘ線管２２１の管電圧、管電流及びＸ線照射時間）に基づいて制御信号を生成し、この制御信号をＸ線発生部２２の高電圧発生器２２２へ供給してＸ線管２２１から被検体３０へ照射されるＸ線の照射強度を制御する。
【００２８】
一方、投影データ収集部２３は、被検体３０を透過したＸ線を検出するＸ線検出器２３１と、このＸ線検出器２３１から出力された複数チャンネルの検出信号を所定のチャンネル数に束ねるスイッチ群２３２と、スイッチ群２３２の出力信号に対して電流／電圧変換とＡ／Ｄ変換を行なうデータ収集ユニット（以下、ＤＡＳ(data acquisition system)ユニットと呼ぶ。）２３３と、ＤＡＳユニット２３３の出力信号に対してパラレル／シリアル変換、電気／光／電気変換及びシリアル／パラレル変換を行なうデータ伝送回路２３４を備えている。
【００２９】
次に、投影データ収集部２３のＸ線検出器２３１につき図３を用いて説明する。図３は、Ｘ線検出素子２３０が２次元配列されたＸ線検出器２３１の展開図を示したものであり、Ｘ線検出素子２３０の各々は、Ｘ線を光に変換するシンチレータと光を電気信号に変換するフォトダイオードによって構成されている。
【００３０】
このＸ線検出器２３１には、例えば、被検体３０の体軸方向であるスライス方向（Ｚ方向）に対して８０素子、又、前記スライス方向に直交するチャンネル方向（Ｘ方向）に対し９００素子のＸ線検出素子２３０が配列されている。但し、チャンネル方向に配列されたＸ線検出素子２３０は、実際には、Ｘ線管２２１の焦点を中心とした円弧に沿って架台回転部２７に取り付けられている。そして、Ｘ線検出器２３１におけるスライス方向の中央部には、例えば、３２個のＸ線検出素子２３０が０．５ｍｍ間隔で配置され、その両端には、２４個のＸ線検出素子２３０が１．０ｍｍ間隔で配置されている。
【００３１】
一方、図２のスイッチ群２３２は、図示しないマルチプレクサを備え、Ｘ線検出器２３１から供給された投影データをＤＡＳユニット２３３へ転送する際、Ｘ線検出素子２３０から出力されたスライス方向における複数チャンネルの投影データを所定のチャンネル数Ｍ１に「データ束ね」してＤＡＳユニット２３３へ供給する。
【００３２】
ＤＡＳユニット２３３は、図示しないＭ１チャンネルの受信部を有し、Ｘ線検出器２３１から供給された投影データに対して電流／電圧変換とＡ／Ｄ変換を行なう。又、データ伝送回路２３４は、図示しないパラレル／シリアル変換器と電気／光／電気変換器とシリアル／パラレル変換器を有し、ＤＡＳユニット２３３から出力されたＭ１チャンネルの投影データは、架台回転部側に設けられた前記パラレル／シリアル変換器において時系列的な１チャンネルの投影データに変換され、前記電気／光／電気変換器による光通信によって架台固定部側の前記シリアル／パラレル変換器に供給される。
【００３３】
次いで、前記シリアル／パラレル変換器において、１チャンネルの投影データは複数チャンネルの投影データに戻されて画像データ生成部２４の投影データ記憶部２４１に保存される。尚、このデータ伝送方法は、架台回転部２７に設けられた投影データ収集部２３と架台固定部２８の外部に設けられた画像データ生成部２４の間の信号伝送が可能であれば他の方法に替えることが可能であり、例えば、既に述べたスリップリング等のデバイスを使用しても構わない。
【００３４】
そして、Ｘ線発生部２２のＸ線管２２１及びＸ線絞り器２２３と投影データ収集部２３は、被検体３０を挟むように対向して架台回転部２７に装着され、移動機構部２５により被検体３０の体軸方向（ｚ方向）に平行な軸を回転中心として、例えば、１回転／秒乃至２回転／秒で高速回転する。
【００３５】
次に、画像データ生成部２４は、投影データ記憶部２４１と、スキャノグラム生成部２４２と、診断用画像データ生成部２４３を備え、撮影計画モード及び撮影モードにおいて投影データ収集部２３が収集した投影データを処理してスキャノグラム及び診断用画像データを生成する機能を有している。
【００３６】
即ち、投影データ記憶部２４１は、図示しない撮影計画用投影データ記憶部と診断用投影データ記憶部を有し、前記撮影計画用投影データ記憶部には、架台回転部２７を固定し被検体３０を載置した天板２９のみを体軸方向へ所定間隔で順次移動させた状態で投影データ収集部２３が収集した撮影計画モードの投影データ（撮影計画用投影データ）が天板２９の位置情報及びＸ線検出素子２３０の配列情報を付帯情報として保存される。一方、前記診断用投影データ記憶部には、被検体３０の周囲における架台回転部２７の高速回転と天板２９の体軸方向への移動を同時に行なった状態で投影データ収集部２３が収集した撮影モードの投影データ（診断用投影データ）が架台回転部２７の回転角度情報、Ｘ線検出素子２３０の配列情報及び天板２９の位置情報を付帯情報として保存される。
【００３７】
そして、スキャノグラム生成部２４２は、投影データ記憶部２４１から読み出した撮影計画用投影データを、その付帯情報（Ｘ線検出素子２３０の配列情報及び天板２９の位置情報）に基づいて合成しスキャノグラムを生成する。尚、このとき生成されるスキャノグラムは、通常のＸ線診断装置によって得られる透視画像データに類似したものとなり、このスキャノグラムの生成に用いられる撮影計画用投影データは、診断用投影データと比較して極めて少ない被曝線量での収集が可能である。
【００３８】
一方、診断用画像データ生成部２４３は、投影データ記憶部２４１から読み出した診断用投影データを、その付帯情報（架台回転部２７の回転角度情報、Ｘ線検出素子２３０の配列情報及び天板２９の位置情報）や撮影計画策定部１から供給される撮影モードの撮影パラメータ（スライス厚、スライス枚数、スライスピッチ、再構成方法等）に基づいて再構成処理を行ない、例えば、体軸方向に垂直な複数の診断用画像データを生成する。
【００３９】
次に、移動機構部２５は、天板・架台移動機構部２５１と、機構制御部２５２を備えている。
【００４０】
天板・架台移動機構部２５１は、機構制御部２５２から供給される天板移動制御信号及び架台回転制御信号に基づき、被検体３０の周囲に配置された架台回転部２７の高速回転や天板２９の体軸方向への移動を行なう。即ち、スキャノグラムの生成を目的とした撮影計画用投影データの収集に際しては、Ｘ線発生部２２のＸ線管２２１を被検体３０の正面方向に対向させた状態で架台回転部２７を固定し被検体３０を載置した天板２９のみを体軸方向へ所定速度で移動させる。又、診断用画像データの生成を目的とした診断用投影データの収集に際しては、Ｘ線管２１１及び投影データ収集部２３を被検体３０の周囲にて高速回転させた状態で天板２９を体軸方向へ移動させる。
【００４１】
一方、機構制御部２５２は、撮影計画策定部１あるいは入力部１０からシステム制御部１１を介して供給される移動指示信号に基づいて架台回転制御信号及び天板移動制御信号を生成し、天板・架台移動機構２５１へ供給する。
【００４２】
図１へ戻って、被曝線量算出部３は、図示しない演算回路を備え、撮影計画策定部１において策定された撮影計画の撮影パラメータに基づいて現行ＣＴ撮影に対する被曝線量を算出する機能を有している。尚、被曝線量の具体的な算出方法については、特許文献１（特開２００３−７９６１１号公報）等に記載されているため詳細な説明は省略する。
【００４３】
図４は、被曝線量算出部３によって算出された被曝線量の分布を模式的に示したものであり、被検体３０の頭部を撮影領域Ｒａとした撮影プロトコルの被曝線量Ｄａ，胸部を撮影領域Ｒｂとした撮影プロトコルの被曝線量Ｄｂ，腹部を撮影領域Ｒｃとした撮影プロトコルの被曝線量Ｄｃ及び脚部を撮影領域Ｒｄとした撮影プロトコルの被曝線量Ｄｄが各々の撮影プロトコルが有する撮影パラメータに基づいて算出される。尚、図４に示す撮影領域Ｒａ乃至Ｒｄは、各撮影プロトコルの撮影パラメータに含まれる撮影範囲に対応しており、これら撮影領域の各々における体軸方向の端部は、通常、隣接する撮影領域の端部と重複するように設定される。
【００４４】
再び図１へ戻って、データ記憶部４は、上述の被曝線量算出部３において撮影計画単位あるいは撮影プロトコル単位で算出された被曝線量のデータ（被曝線量データ）を撮影パラメータ及び被検体情報を付帯情報として保存する被曝線量データ記憶部４１と、撮影計画モードにおいて画像データ生成部２４のスキャノグラム生成部２４２が生成したスキャノグラムを被検体情報と共に保存するスキャノグラム記憶部４２と、撮影モードにおいて画像データ生成部２４の診断用画像データ生成部２４３が生成した診断用画像データを撮影パラメータ及び被検体情報と共に保存する画像データ記憶部４３を有している。尚、被曝線量データ記憶部４１には、被検体３０に対して行われた過去ＣＴ撮影の全て及び現行ＣＴ撮影における被曝線量データが撮影計画単位あるいは撮影プロトコル単位で保存される。
【００４５】
一方、累積被曝線量算出部５は、図示しない演算回路と記憶回路を備え、データ記憶部４の被曝線量データ記憶部４１に保存された複数の被曝線量データを加算処理して累積被曝線量データを生成する機能を有している。即ち、前記演算回路は、被曝線量データ記憶部４１に保存されている被検体３０の過去ＣＴ撮影における被曝線量データを読み出し、これらの被曝線量データを撮影パラメータの１つである撮影領域（撮影範囲）の位置情報に基づき加算処理して過去ＣＴ撮影の累積被曝線量データ（過去累積被曝線量データ）を生成する。
【００４６】
更に、同様の手順により、被曝線量データ記憶部４１に保存されている現行ＣＴ撮影の被曝線量データを読み出し、これらの被曝線量データを撮影領域の位置情報に基づき加算処理して現行ＣＴ撮影の累積被曝線量データ（推定累積被曝線量データ）を生成する。
【００４７】
図５及び図６は、累積被曝線量算出部５によって生成された過去累積被曝線量データと推定累積被曝線量データの具体例を模式的に示したものであり、例えば、過去ＣＴ撮影の撮影計画モードで図４に示すような被曝線量Ｄｓ乃至Ｄｄが撮影領域Ｒａ乃至Ｒｄにおいて算出された場合、これら被曝線量Ｄａ乃至Ｄｄを撮影領域Ｒａ乃至Ｒｄの位置情報に基づいて加算処理することにより図５に示すような過去累積被曝線量データが生成される。この場合、撮影領域Ｒａと撮影領域Ｒｂが重複する領域の累積被曝線量ＤａｂはＤａｂ＝Ｄａ＋Ｄｂ、被曝線量撮影領域Ｒｂと撮影領域Ｒｃが重複する領域の累積被曝線量ＤｂｃはＤｂｃ＝Ｄｂ＋Ｄｃ、更に、被曝線量撮影領域Ｒｃと撮影領域Ｒｄが重複する領域の累積被曝線量ＤｃｄはＤｃｄ＝Ｄｃ＋Ｄｄとなる。
【００４８】
同様にして、現行ＣＴ撮影の撮影計画モードで被曝線量Ｅｂ及びＥｃが撮影領域Ｒｂ及びＲｃにおいて算出された場合、被曝線量Ｅｂ及びＥｃを撮影領域Ｒｂ及びＲｃの位置情報に基づいて加算処理することにより図６に示すような推定累積被曝線量データが生成される。この場合、撮影領域Ｒｂと撮影領域Ｒｃが重複する領域の累積被曝線量ＥｂｃはＥｂｃ＝Ｅｂ＋Ｅｃとなる。
【００４９】
又、累積被曝線量算出部５の前記演算回路は、過去累積被曝線量データと推定累積被曝線量データを加算処理することにより総累積被曝線量データを生成する。そして、得られた過去累積被曝線量データ、推定累積被曝線量データ及び総累積被曝線量データは前記記憶回路に保存される。
【００５０】
図７は、累積被曝線量算出部５によって生成された総累積被曝線量データの具体例を示したものであり、累積被曝線量算出部５は、例えば、図５の過去累積被曝線量データと図６の推定累積被曝線量データを加算処理することにより図７に示すような総累積被曝線量データを生成する。
【００５１】
次に、図１に示した基準累積被曝線量データ保管部６には、例えば、許容される累積被曝線量あるいは安全性確保の目安となる累積被曝線量（これらを纏めて基準累積被曝線量と呼ぶ。）のデータが撮影部位情報や被検体情報（例えば、年齢、体重、性別、疾患名等）を付帯情報として予め保管されている。この基準累積被曝線量は、ＥＣ(European Community)ガイドライン等の国際的なガイドラインに従って設定することが望ましいが、これに限定されるものではなく、例えば、当該医療施設において独自に設定されたものであっても構わない。
【００５２】
一方、被曝線量比較部７は、累積被曝線量算出部５から供給される総累積被曝線量データと被検体３０の被検体情報及び撮影パラメータの撮影範囲（撮影部位）情報に基づいて基準累積被曝線量データ保管部６から読み出した基準累積被曝線量データとを比較することにより、現行ＣＴ撮影の撮影計画における撮影パラメータが適当か否かを判定する。具体的には、基準累積被曝線量データより大きな総累積被曝線量データを有する領域の有無に基づいて上述の判定を行なう。
【００５３】
次に、表示データ生成部８は、撮影計画用表示データ生成部８１と診断用表示データ生成部８２を備え、撮影計画用表示データ生成部８１は、データ記憶部４のスキャノグラム記憶部４２から供給される過去ＣＴ撮影時のスキャノグラムに累積被曝線量算出部５から供給される過去累積被曝線量データを重畳し、更に、スキャノグラム記憶部４２から供給される現行ＣＴ撮影時のスキャノグラムに累積被曝線量算出部５から供給される推定累積被曝線量データを重畳する。そして、過去累積被曝線量データが重畳されたスキャノグラム及び推定累積被曝線量データが重畳されたスキャノグラムを並列配置し、更に、撮影計画の策定に必要な被検体情報や撮影パラメータ情報を付加して第１の撮影計画用表示データを生成する。
【００５４】
この場合、過去累積被曝線量データと推定累積被曝線量データの加算結果（即ち、総累積被曝線量データ）が基準累積被曝線量データより大きな値を有する領域には他の領域と異なる明度や色調等の情報が付加される。
【００５５】
又、撮影計画用表示データ生成部８１は、過去ＣＴ撮影時のスキャノグラムあるいは現行ＣＴ撮影時のスキャノグラムに累積被曝線量算出部５から供給される総累積被曝線量データを重畳し、更に、撮影計画の策定に必要な被検体情報や撮影パラメータ情報を付加して第２の撮影計画用表示データを生成する。このとき、総累積被曝線量データが基準累積被曝線量データより大きな領域には第１の撮影計画用表示データと同様にして他の領域と異なる明度や色調等の情報が付加される。
【００５６】
一方、診断用表示データ生成部８２は、データ記憶部４の画像データ記憶部４３から供給される撮影モードの診断用画像データを所定の表示フォーマットに変換し、更に、被検体情報や撮影パラメータ等の付帯情報を付加して診断用表示データを生成する。そして、上述の撮影計画用表示データや診断用表示データは、表示部９に設けられた図示しないモニタに表示される。
【００５７】
図８は、表示部９のモニタに表示される第１の撮影計画用表示データの具体例を示したものであり、この第１の撮影計画用表示データは、被検体のＩＤ、年齢、性別等が一覧表示される被検体情報表示欄Ｌ１、管電流、管電圧、Ｘ線照射時間等の撮影パラメータが一覧表示される撮影パラメータ表示欄Ｌ２及び過去累積被曝線量データが重畳されたスキャノグラムと推定累積被曝線量データが重畳されたスキャノグラムが並列表示されるスキャノグラム表示欄Ｌ３を有している。そして、過去累積被曝線量データと推定累積被曝線量データの加算結果が基準累積被曝線量データより大きな値を有する現行ＣＴ撮影の領域は他の領域に対して強調表示される。
【００５８】
一方、図９は、表示部９のモニタに表示される第２の撮影計画用表示データの具体例を示したものであり、この第２の撮影計画用表示データは、図８と同様な被検体情報表示欄Ｌ１及び撮影パラメータ表示欄Ｌ２と総累積被曝線量データが重畳されたスキャノグラムが表示されるスキャノグラム表示欄Ｌ４を有している。そして、総累積被曝線量データが基準累積被曝線量データより大きな値を有する領域は他の領域に対して強調表示される。
【００５９】
次に、図１に示した入力部１０は、表示パネルやキーボード、各種スイッチ、選択ボタン、マウス等の入力デバイスを備えたインターラクティブなインターフェースであり、撮影計画モード／撮影モードを選択するモード選択部１０１と、被検体情報を入力する被検体情報入力部１０２と、撮影プロトコルあるいは各撮影プロトコルにおける撮影パラメータの設定及び更新を行なう撮影パラメータ設定／更新部１０３を備え、更に、投影データ収集条件の設定、撮影計画用表示データの選択、撮影モードにおける再構成条件及び画像表示条件の設定、各種コマンド信号の入力等が上述の表示パネルや入力デバイスを用いて行なわれる。
【００６０】
次に、システム制御部１１は、図示しないＣＰＵと記憶回路を備え、入力部１０から供給される各種の入力情報、設定／更新情報及び選択情報は前記記憶回路に一旦保存される。そして、前記ＣＰＵは、これらの情報に基づいて、Ｘ線ＣＴ装置１００が備える上述の各ユニットを統括的に制御する。
【００６１】
（撮影パラメータの設定／更新手順）
次に、撮影計画用表示データの観察下にて行なう撮影パラメータの設定及び更新の手順につき図１０に示したフローチャートを用いて説明する。
【００６２】
撮影パラメータの設定に際し、Ｘ線ＣＴ装置１００の操作者は、入力部１０のモード選択部１０１において撮影計画モードを選択した後（図１０のステップＳ１）、被検体情報入力部１０２において検査管理番号、被検体３０の被検体名あるいは被検体ＩＤ等を被検体情報として入力する。このとき，被検体３０の年齢、体重、性別、疾患名等の被検体情報も必要に応じて入力される（図１０のステップＳ２）。
【００６３】
一方、入力部１０からシステム制御部１１を介して撮影計画モードの選択信号と被検体情報を受信した累積被曝線量算出部５は、被検体３０に対する過去ＣＴ撮影にて収集されデータ記憶部４の被曝線量データ記憶部４１に撮影計画単位あるいは撮影プロトコル単位で予め保管されている被曝線量データを読み出す。そして、これらの被曝線量データを撮影領域の位置情報に基づき加算処理して過去累積被曝線量データを生成し、表示データ生成部８の撮影計画用表示データ生成部８１へ供給する。
【００６４】
次いで、撮影計画用表示データ生成部８１は、前記過去ＣＴ撮影にて収集されデータ記憶部４のスキャノグラム記憶部４２に保存されている被検体３０のスキャノグラムを読み出す。そして、このスキャノグラムに累積被曝線量算出部５から供給される過去累積被曝線量データを重畳させて撮影計画用表示データを生成し表示部９のモニタに表示する（図１０のステップＳ３）。
【００６５】
一方、上述のステップＳ２において被検体情報の入力が終了したならば、操作者は、被検体３０を天板２９に載置し、その基準部位（例えば、頭頂部）が架台回転部２７の中央部に配置されるように被検体３０を体軸方向に移動する。
【００６６】
次いで、操作者は、入力部１０においてスキャノグラムの生成開始コマンドを入力し、このコマンド信号に従ってシステム制御部１１が発生する移動指示信号を受信した移動機構部２５の機構制御部２５２は、架台回転制御信号を天板・架台移動機構部２５１へ供給して架台回転部２７に取り付けられたＸ線管２２１を被検体３０の正面位置に設定する。更に、機構制御部２５２は、天板移動制御信号を天板・架台移動機構部２５１へ供給して被検体３０を載置した天板２９をその体軸方向に所定速度で移動する。
【００６７】
一方、ＣＴ撮影部２の照射強度制御部２１は、システム制御部１１から供給されるＸ線照射の指示信号に従い、スキャノグラムの生成に好適なＸ線照射条件（即ち、管電圧、管電流、Ｘ線照射時間等）を設定する。そして、Ｘ線発生部２２の高電圧発生器２２２は、このＸ線照射条件に基づいた電力（管電圧及び管電流）をＸ線管２２１に対して所定時間供給し、被検体３０に対してファンビームＸ線を照射する。
【００６８】
Ｘ線管２２１から照射され被検体３０を透過したＸ線は、Ｘ線検出器２３１において透過線量に比例した電荷（電流）信号に変換され、スイッチ群２３２においてスライス方向に対し「データ束ね」が行なわれる。そして、「データ束ね」された電流信号は、ＤＡＳユニット２３３に供給されて電流／電圧変換とＡ／Ｄ変換が行なわれ撮影計画用投影データが生成される。
【００６９】
この撮影計画用投影データは、架台回転部２７に装着されたデータ伝送回路２３４の送信部に送られて光信号に変換され、空中を介して架台固定部２８に取りつけられたデータ伝送回路２３４の受信部にて受信される。そして、受信された撮影計画用投影データは、その付帯情報であるＸ線検出素子２３０の配列位置情報及び天板２９の移動位置情報と共に画像データ生成部２４の投影データ記憶部２４１に保存される。
【００７０】
同様の手順によって天板２９を被検体３０の体軸方向に所定間隔で順次移動させながらＸ線の照射と撮影計画用投影データの収集を繰り返し、被検体３０の所定範囲にて収集した撮影計画用投影データとその付帯情報を投影データ記憶部２４１に順次保存する。
【００７１】
一方、画像データ生成部２４のスキャノグラム生成部２４２は、投影データ記憶部２４１に保存されている撮影計画用投影データとその付帯情報を読み出す。そして、これらの撮影計画用投影データを付帯情報に基づき合成して得られたスキャノグラム（現行ＣＴ撮影のスキャノグラム）を表示データ生成部８の撮影計画用表示データ生成部８１へ供給し、撮影計画用表示データ生成部８１は、上述のスキャノグラムを用いた撮影計画用表示データを生成して表示部９のモニタに表示する（図１０のステップＳ４）。
【００７２】
次に、表示部９において現行ＣＴ撮影のスキャノグラムと過去累積被曝線量データが重畳されている過去ＣＴ撮影のスキャノグラムを観察した操作者は、これらの情報を参考にして現行ＣＴ撮影に対する暫定的な撮影パラメータを入力部１０の撮影パラメータ設定／更新部１０３において設定する（図１０のステップＳ５）。そして、入力部１０の被検体情報入力部１０２及び撮影パラメータ設定／更新部１０３からシステム制御部１１を介して供給される被検体情報及び撮影パラメータ情報を受信した撮影計画策定部１は、これらの情報に基づいて被検体３０に対する撮影計画を策定し、得られた撮影計画を自己の記憶回路に保存する（図１０のステップＳ６）。
【００７３】
次いで、被曝線量算出部３は、撮影計画策定部１において策定された撮影計画の撮影パラメータに基づいて現行ＣＴ撮影に対する被曝線量を撮影計画単位あるいは撮影プロトコル単位で算出し、得られたこれらの被曝線量データを撮影パラメータ及び被検体情報を付帯情報としてデータ記憶部４の被曝線量データ記憶部４１に保存する。
【００７４】
そして、累積被曝線量算出部５は、被曝線量データ記憶部４１から供給された被曝線量データを撮影領域の位置情報に基づき加算処理して現行ＣＴ撮影の推定累積被曝線量データを生成し（図１０のステップＳ７）、更に、自己の記憶回路に保存されている過去累積被曝線量データと上述の推定累積被曝線量データを加算処理することにより総累積被曝線量データを生成する（図１０のステップＳ８）。
【００７５】
次いで、被曝線量比較部７は、累積被曝線量算出部５から供給される総累積被曝線量データと被検体３０の被検体情報及び撮影部位情報に基づいて基準累積被曝線量データ保管部６から読み出した基準累積被曝線量データとを比較することにより、現行ＣＴ撮影における撮影パラメータが適当か否かを判定する（図１０のステップＳ９）。
【００７６】
一方、表示データ生成部８の撮影計画用表示データ生成部８１は、データ記憶部４のスキャノグラム記憶部４２から供給された過去ＣＴ撮影時のスキャノグラムに累積被曝線量算出部５から供給された過去累積被曝線量データを重畳し、更に、スキャノグラム記憶部４２から供給された現行ＣＴ撮影時のスキャノグラムに累積被曝線量算出部５から供給された推定累積被曝線量データを重畳する。そして、過去累積被曝線量データが重畳されたスキャノグラムと推定累積被曝線量データが重畳されたスキャノグラムを並列配置し、更に、総累積被曝線量データが基準累積被曝線量データより大きな値を有した推定累積被曝線量データの領域が強調表示される第１の撮影計画用表示データを生成して表示部９のモニタに表示する。
【００７７】
又、撮影計画用表示データ生成部８１は、累積被曝線量算出部５から供給された総累積被曝線量データをデータ記憶部４のスキャノグラム記憶部４２から供給された過去ＣＴ撮影時あるいは現行ＣＴ撮影時のスキャノグラムに重畳させ、更に、基準累積被曝線量データより大きな値を有した総累積被曝線量データの領域が強調表示される第２の撮影計画用表示データを生成して表示部９のモニタに表示してもよく、これらの選択は、入力部１０から供給される撮影計画用表示データの選択信号に基づいて行なわれる（図１０のステップＳ１０）。
【００７８】
そして、表示部９に表示された撮影計画用表示データにおいて総累積被曝線量データが基準累積被曝線量データより大きな値を有する領域の存在を確認（即ち上述のステップＳ５において暫定的に設定された現行ＣＴ撮影の撮影パラメータは不適当と判定）した操作者は、入力部１０の撮影パラメータ設定／更新部１０３において前記領域に対する撮影パラメータを更新し（図１０のステップＳ１１）、上述のステップＳ６乃至Ｓ１１を繰り返す。一方、前記撮影計画用表示データの観察により、ステップＳ５にて暫定的に設定された現行ＣＴ撮影の撮影パラメータあるいはステップＳ１１にて更新された現行ＣＴ撮影の撮影パラメータは適当であると判定した操作者は、入力部１０のモード選択部１０１において撮影モードを選択し（図１０のステップＳ１２）、この選択信号がシステム制御部１１に供給されることにより上述の撮影パラメータによる現行ＣＴ撮影が実行される（図１０のステップＳ１３）。
【００７９】
以上述べた本発明の第１の実施例によれば、被検体に対してＸ線ＣＴ撮影を行なう際、当該被検体に対する過去ＣＴ撮影の累積被曝線量（過去累積被曝線量）及び現行ＣＴ撮影の累積被曝線量（推定累積被曝線量）に基づく総累積被曝線量と予め設定された基準累積被曝線量とを比較することにより現行ＣＴ撮影に対して設定された撮影パラメータの妥当性を判定することができる。このため、総累積被曝線量を基準値以下に抑えた撮影計画の策定が容易となり、前記被検体に対し常に安全なＸ線ＣＴ撮影を実施することが可能となる。
【００８０】
特に、スキャノグラムに重畳された推定累積被曝線量データあるいは総累積被曝線量データにおいて基準累積被曝線量より大きな総累積被曝線量を有する領域が強調表示されるため、前記領域に対して設定された不適当な撮影パラメータを効率よく更新することができる。
【実施例２】
【００８１】
次に、本発明の第２の実施例について説明する。この第２の実施例における撮影計画管理装置では、Ｘ線ＣＴ装置やＸ線診断装置等の医用画像診断装置における撮影パラメータの設定に際し、当該被検体に対して行なわれた過去のＸ線撮影（過去撮影）における累積被曝線量（過去累積被曝線量）及びこれから行なわれるＸ線撮影（現行撮影）に対して暫定的に設定された撮影パラメータに基づく累積被曝線量（推定累積被曝線量）あるいはこれらの累積被曝線量を加算処理して得られる総累積被曝線量の各データを撮影計画用画像データ上に重畳表示し、更に、予め設定された基準累積被曝線量より大きな総累積被曝線量を有する領域の推定累積被曝線量データあるいは総累積被曝線量データを強調表示する。
【００８２】
（装置の構成）
以下、本発明の第２の実施例における撮影計画管理装置の構成につき図１１を用いて説明する。但し、図１１において、図１に示したユニットと略同一の機能を有するユニットは同一の符号を付加し詳細な説明は省略する。
【００８３】
図１１は、本実施例における撮影計画管理装置２００の全体構成を示すブロック図であり、この撮影計画管理装置２００は、後述の入力部１０ａから供給される被検体情報及び撮影パラメータに基づいて当該被検体に対する撮影計画を策定する撮影計画策定部１と、撮影計画策定部１から供給される撮影計画の各種撮影パラメータに基づいて被曝線量を算出する被曝線量算出部３と、過去撮影及び現行撮影の撮影パラメータに基づいて被曝線量算出部３が算出した被膜線量データやスキャノグラム等の撮影計画用画像データを保存するデータ記憶部４ａを備えている。
【００８４】
又、撮影計画管理装置２００は、データ記憶部４ａに保存された過去撮影及び現行撮影における被曝線量データを加算処理して過去累積被曝線量データ、推定累積被曝線量データ及び総累積被曝線量データを生成する累積被曝線量算出部５ａと、生体に対する安全なＸ線照射を確保するために撮影部位単位あるいは被検体単位で設定された基準累積被曝線量データが予め保管されている基準累積被曝線量データ保管部６と、累積被曝線量算出部５ａから供給される総累積被曝線量データと基準累積被曝線量データ保管部６から読み出した基準累積被曝線量データとを比較する被曝線量比較部７ａを備え、更に、上述の累積被曝線量データ及び撮影計画用画像データに基づいて撮影計画用表示データを生成する撮影計画用表示データ生成部８１ａと、得られた撮影計画用表示データを表示する表示部９と、被検体情報の入力や撮影パラメータの設定／更新等を行なう入力部１０ａと、撮影計画管理装置２００が備えた上述の各ユニットを統括的に制御する制御部１１ａとを備えている。
【００８５】
データ記憶部４ａは、上述の被曝線量算出部３において撮影計画単位あるいは撮影プロトコル単位で得られた被曝線量データを撮影パラメータ及び被検体情報を付帯情報として保存する被曝線量データ記憶部４１と、予め収集された当該被検体の撮影計画用画像データを保存する撮影計画用画像データ記憶部４２ａを有している。
【００８６】
一方、累積被曝線量算出部５ａは、データ記憶部４ａの被曝線量データ記憶部４１から供給される当該被検体の過去撮影における被曝線量データを撮影領域（撮影範囲）の位置情報に基づき加算処理して過去累積被曝線量データを生成し、被曝線量データ記憶部４１から供給される現行撮影の被曝線量データを加算処理して推定累積被曝線量データを生成する。更に、上述の過去累積被曝線量データ及び推定累積被曝線量データを加算処理して総累積被曝線量データを生成する。そして、得られた過去累積被曝線量データ、推定累積被曝線量データ及び総累積被曝線量データを自己の記憶回路に保存する。
【００８７】
次に、被曝線量比較部７ａは、累積被曝線量算出部５ａから供給される総累積被曝線量データと被検体情報及び撮影パラメータの撮影範囲（撮影部位）情報に基づいて基準累積被曝線量データ保管部６から読み出した基準累積被曝線量データとを比較することにより、現行撮影の撮影計画における撮影パラメータが適当か否かを判定する。
【００８８】
一方、撮影計画用表示データ生成部８１ａは、データ記憶部４の撮影計画用画像データ記憶部４２ａから供給される撮影計画用画像データに累積被曝線量算出部５ａから供給される過去累積被曝線量データを重畳し、更に、前記撮影計画用画像データに累積被曝線量算出部５ａから供給される推定累積被曝線量データを重畳する。そして、過去累積被曝線量データが重畳された撮影計画用画像データと推定累積被曝線量データが重畳された撮影計画用画像データを並列配置し、更に、撮影計画の策定に必要な被検体情報や撮影パラメータ情報を付加して第１の撮影計画用表示データを生成する。
【００８９】
この場合、過去累積被曝線量データと推定累積被曝線量データの加算結果（即ち、総累積被曝線量データ）が基準累積被曝線量データより大きな値を有する推定累積被曝線量データの領域には他の領域と異なる明度や色調等の情報が付加される。
【００９０】
又、撮影計画用表示データ生成部８１ａは、前記撮影計画用画像データに累積被曝線量算出部５ａから供給される総累積被曝線量データを重畳し、更に、撮影計画の策定に必要な被検体情報や撮影パラメータ情報を付加して第２の撮影計画用表示データを生成する。このとき、基準累積被曝線量データより大きな総累積被曝線量データの領域には第１の撮影計画用表示データと同様にして他の領域と異なる明度や色調等の情報が付加される。
【００９１】
次に、入力部１０ａは、表示パネルやキーボード、各種スイッチ、選択ボタン、マウス等の入力デバイスを備えたインターラクティブなインターフェースであり、被検体情報を入力する被検体情報入力部１０２と、撮影プロトコルあるいは各撮影プロトコルにおける撮影パラメータの設定及び更新を行なう撮影パラメータ設定／更新部１０３を備え、更に、撮影計画用表示データの選択や各種コマンド信号の入力等が上述の表示パネルと入力デバイスを用いて行なわれる。
【００９２】
一方、制御部１１ａは、図示しないＣＰＵと記憶回路を備え、入力部１０ａから供給される各種の入力情報、設定／更新情報を前記記憶回路に一旦保存する。そして、これらの情報に基づいて、撮影計画管理装置２００が備える上述の各ユニットを統括的に制御する。
【００９３】
（撮影パラメータの設定／更新手順）
次に、本実施例における撮影パラメータの設定及び更新の手順につき図１２に示したフローチャートを用いて説明する。
【００９４】
撮影パラメータの設定に際し、撮影計画管理装置２００の操作者は、入力部１０ａの被検体情報入力部１０２において検査管理番号、被検体名あるいは被検体ＩＤ等を被検体情報として入力し、更に、前記被検体の年齢、体重、性別、疾患名等も必要に応じて入力する（図１２のステップＳ２１）。
【００９５】
一方、入力部１０ａから制御部１１ａを介して被検体情報を受信した累積被曝線量算出部５ａは、当該被検体に対する過去撮影にて収集されデータ記憶部４ａの被曝線量データ記憶部４１に撮影計画単位あるいは撮影プロトコル単位で予め保管されている被曝線量データを読み出す。そして、これらの被曝線量データを撮影領域の位置情報に基づき加算処理して過去累積被曝線量データを生成し、撮影計画用表示データ生成部８１ａへ供給する。
【００９６】
撮影計画用表示データ生成部８１ａは、データ記憶部４ａの撮影計画用画像データ記憶部４２ａから供給される当該被検体の撮影計画用画像データに累積被曝線量算出部５ａから供給される過去累積被曝線量データを重畳させて撮影計画用表示データを生成し表示部９のモニタに表示する（図１２のステップＳ２２）。
【００９７】
次に、表示部９において過去累積被曝線量データが重畳された過去撮影の撮影計画用画像データを観察した操作者は、これらの情報を参考にして現行撮影に対する暫定的な撮影パラメータを入力部１０ａの撮影パラメータ設定／更新部１０３において設定する（図１２のステップＳ２３）。そして、入力部１０ａの被検体情報入力部１０２及び撮影パラメータ設定／更新部１０３から制御部１１ａを介して供給される被検体情報及び撮影パラメータ情報を受信した撮影計画策定部１は、これらの情報に基づいて当該被検体に対する撮影計画を策定する（図１２のステップＳ２４）。
【００９８】
次に、被曝線量算出部３は、撮影計画策定部１において策定された撮影計画の撮影パラメータに基づいて現行撮影に対する被曝線量を撮影計画単位あるいは撮影プロトコル単位で算出し、得られたこれらの被曝線量データを撮影パラメータ及び被検体情報を付帯情報としてデータ記憶部４ａの被曝線量データ記憶部４１ａに順次保存する。
【００９９】
そして、累積被曝線量算出部５ａは、被曝線量データ記憶部４１から供給された上述の被曝線量データを撮影領域の位置情報に基づき加算処理して推定累積被曝線量データを生成し（図１２のステップＳ２５）、更に、自己の記憶回路に保存されている過去累積被曝線量データと上述の推定累積被曝線量データを加算処理して総累積被曝線量データを生成する（図１２のステップＳ２６）。
【０１００】
次いで、被曝線量比較部７ａは、累積被曝線量算出部５ａから供給された総累積被曝線量データと当該被検体の被検体情報及び撮影部位情報に基づいて基準累積被曝線量データ保管部６から読み出した基準累積被曝線量データとを比較することにより、現行撮影における撮影パラメータが適当か否かを判定する（図１２のステップＳ２７）。
【０１０１】
一方、撮影計画用表示データ生成部８１ａは、データ記憶部４ａの撮影計画用画像データ記憶部４２ａから供給された撮影計画用画像データに累積被曝線量算出部５ａから供給された過去累積被曝線量データを重畳し、更に、前記撮影計画用画像データに累積被曝線量算出部５ａから供給された推定累積被曝線量データを重畳する。そして、過去累積被曝線量データが重畳された撮影計画用画像データ及び推定累積被曝線量データが重畳された前記撮影計画用画像データを並列配置し、更に、総累積被曝線量データが基準累積被曝線量データより大きな値を有した推定累積被曝線量データの領域が強調表示される第１の撮影計画用表示データを生成して表示部９のモニタに表示する。
【０１０２】
又、撮影計画用表示データ生成部８１ａは、累積被曝線量算出部５ａから供給された総累積被曝線量データを撮影計画用画像データ記憶部４２ａから供給された撮影計画用画像データに重畳させ、更に、基準累積被曝線量データより大きな値を有する総累積被曝線量データの領域が強調表示される第２の撮影計画用表示データを生成して表示部９のモニタに表示する。尚、第１の撮影計画用表示データ及び第２の撮影計画用表示データの表示は、入力部１０ａから供給される撮影計画用画像データの選択信号に基づいて行なわれる（図１２のステップＳ２８）。
【０１０３】
そして、表示部９に表示された撮影計画用表示データにおいて総累積被曝線量が基準累積被曝線量より大きな値を有する領域の存在を確認（即ち、上述のステップＳ２３において暫定的に設定された現行撮影の撮影パラメータは不適当と判定）した操作者は、入力部１０ａの撮影パラメータ設定／更新部１０３において前記領域に対応する撮影パラメータを更新し（図１２のステップＳ２９）、上述のステップＳ２４乃至Ｓ２９を繰り返す。一方、前記撮影計画用表示データの観察により、ステップＳ２３にて暫定的に設定された現行撮影の撮影パラメータあるいはステップＳ２９にて更新された現行撮影の撮影パラメータは適当であると判定した操作者は、設定あるいは更新された撮影パラメータを制御部１１ａを介してＸ線ＣＴ装置やＸ線診断装置等の画像診断装置３００へ送信し（図１２のステップＳ３０）、画像診断装置３００は、これらの撮影パラメータに基づいて現行撮影を実行する（図１２のステップＳ３１）。
【０１０４】
以上述べた本発明の第２の実施例によれば、被検体に対してＸ線撮影を行なう際、当該被検体に対する過去撮影の累積被曝線量（過去累積被曝線量）及び現行撮影の累積被曝線量（推定累積被曝線量）に基づく総累積被曝線量と予め設定された基準累積被曝線量とを比較することにより現行撮影に対して設定された撮影パラメータの妥当性を判定することができる。このため、総累積被曝線量を基準値以下に抑えた撮影計画の策定が容易となり、前記被検体に対し常に安全なＸ線撮影を実施することが可能となる。
【０１０５】
特に、推定累積被曝線量データあるいは総累積被曝線量データが重畳された撮影計画用画像データにおいて基準累積被曝線量より大きな総累積被曝線量を有する領域が強調表示されるため、前記領域に対して設定された不適当な撮影パラメータを効率よく更新することができる。
【０１０６】
更に、上述の実施例における撮影計画管理装置は、Ｘ線ＣＴ装置やＸ線診断装置等の医用画像診断装置に対して独立に構成されているため、ネットワーク等を介して接続された複数の医用画像診断装置の各々に対し好適な撮影パラメータを効率よく設定することが可能となる。
【０１０７】
以上、本発明の実施例について述べてきたが、本発明は上述の実施例に限定されるものではなく、変形して実施してもよい。例えば、上述の第１の実施例及び第２の実施例では、総累積被曝線量が基準累積被曝線量より大きな領域は、他の領域と異なる明度や色調によって強調表示する場合について述べたが、マーカや記号等を付加することにより他の領域と識別して表示してもよい。
【０１０８】
又、第１の実施例及び第２の実施例では、過去累積被曝線量データが重畳されたスキャノグラムと推定累積被曝線量データが重畳されたスキャノグラムが並列配置された第１の撮影計画用表示データとスキャノグラムに総累積被曝線量データを重畳した第２の撮影計画用表示データを表示する場合について述べたが、何れか一方のみを表示してもよく、又、第１の撮影計画用表示データは過去累積被曝線量データが重畳されたスキャノグラムによって生成されたものであっても構わない。
【０１０９】
更に、上述の第１の実施例及び第２の実施例における過去累積被曝線量データは、累積被曝線量算出部５（５ａ）が被曝線量データ記憶部４１から読み出した過去ＣＴ撮影における被曝線量データを撮影領域の位置情報に基づいて加算処理することにより生成される場合について述べたが、過去ＣＴ撮影時等において生成され被曝線量データ記憶部４１に予め保存されていてもよい。
【０１１０】
一方、上述の第２の実施例では、画像診断装置３００に対して独立に構成された撮影計画管理装置２００について述べたが、撮影計画管理装置２００は、画像診断装置３００に含まれる１つのユニットであっても構わない。
【図面の簡単な説明】
【０１１１】
【図１】本発明の第１の実施例におけるＸ線ＣＴ装置の全体構成を示すブロック図。
【図２】同実施例のＸ線ＣＴ装置が備えるＣＴ撮影部の具体的な構成を示すブロック図。
【図３】同実施例のＣＴ撮影部が備えるＸ線検出器を説明するための図。
【図４】同実施例の被曝線量算出部によって算出される被曝線量の分布を模式的に示す図。
【図５】同実施例の累積被曝線量算出部によって生成される過去累積被曝線量データの具体例を示す図。
【図６】同実施例の累積被曝線量算出部によって生成される推定累積被曝線量データの具体例を示す図。
【図７】同実施例の累積被曝線量算出部によって生成される総累積被曝線量データの具体例を示す図。
【図８】同実施例における第１の撮影計画用表示データの具体例を示す図。
【図９】同実施例における第２の撮影計画用表示データの具体例を示す図。
【図１０】同実施例における撮影パラメータの設定／更新手順を示すフローチャート。
【図１１】本発明の第２の実施例における撮影計画管理装置の全体構成を示すブロック図。
【図１２】同実施例における撮影パラメータの設定／更新手順を示すフローチャート。
【符号の説明】
【０１１２】
１…撮影計画策定部
２…ＣＴ撮影部
２１…照射強度制御部
２２…Ｘ線発生部
２３…投影データ収集部
２４…画像データ生成部
２５…移動機構部
３…被曝線量算出部
４、４ａ…データ記憶部
４１…被曝線量データ記憶部
４２…スキャノグラム記憶部
４２ａ…撮影計画用画像データ記憶部
４３…画像データ記憶部
５、５ａ…累積被曝線量算出部
６…基準累積被曝線量データ保管部
７、７ａ…被曝線量比較部
８…表示データ生成部
８１、８１ａ…撮影計画用表示データ生成部
８２…診断用表示データ生成部
９…表示部
１０、１０ａ…入力部
１０１…モード選択部
１０２…被検体情報入力部
１０３…撮影パラメータ設定／更新部
１１…システム制御部
１１ａ…制御部
１００…Ｘ線ＣＴ装置
２００…撮影計画管理装置
【図１】
2009172138.tif 000003
【図２】
2009172138.tif 000004
【図３】
2009172138.tif 000005
【図４】
2009172138.tif 000006
【図５】
2009172138.tif 000007
【図６】
2009172138.tif 000008
【図７】
2009172138.tif 000009
【図８】
2009172138.tif 000010
【図９】
2009172138.tif 000011
【図１０】
2009172138.tif 000012
【図１１】
2009172138.tif 000013
【図１２】
2009172138.tif 000014